(57)【要約】【課題】生産性を向上させながらユーザーの操作性・安全性を損なうことない安価なシート供給装置を提供すること。【解決手段】シートを支持し昇降可能なシートトレイＴと、シートトレイＴに支持されたシートを給送するためのシート給送部Ｆと、装置本体に対して開閉可能に設けられた上カバー２１及び右カバー２３とをシート供給装置に設ける。そして、右カバー２１と右カバー２３とが閉じている際にはシートトレイＴは所定の給紙位置に達するまで上昇し、右カバー２３が閉じている状態においてカバー２１を開放する動作に応じてシートトレイＴの上昇は停止し、右カバー２３を開放する動作に応じてシートトレイＴの下降を開始する。【選択図】      図５
2004210456.tif 000002
【特許請求の範囲】
【請求項１】
シートを支持し昇降可能なシートトレイと、
前記シートトレイに支持されたシートを給送するためのシート給送部と、
装置本体に対して開閉可能に設けられた第１カバー及び第２カバーと、を備え、
前記第１カバーと前記第２カバーとが閉じている際に前記シートトレイは所定の給紙位置に達するまで上昇し、
前記第２カバーが閉じている状態において前記第１カバーを開放する動作に応じて前記シートトレイの上昇は停止し、
前記第１カバーが開放している状態において前記第２カバーを開放する動作に応じて前記シートトレイの下降を開始することを特徴とするシート供給装置。
【請求項２】
前記第２カバーを閉じた状態において前記第１カバーを開放しても、前記シートトレイは下降せず、前記第１カバーを開放した際の位置を保持することを特徴とする請求項１に記載のシート供給装置。
【請求項３】
前記第２カバーと前記第１カバーとを開放した状態から前記第１カバーを閉じても前記シートトレイが上昇しないことを特徴とする請求項１または２に記載のシート供給装置。
【請求項４】
前記シートトレイを上昇するための駆動を発生する駆動モータと、
前記駆動モータの駆動を前記シートトレイに伝達するためのギア列と、を有し、
前記第２カバーの開放動作に応じて、前記ギア列の噛合いが解除されるように前記ギア列に設けられたギアが移動することによって前記シートトレイを自重によって下降することを特徴とする請求項１乃至３のいずれか１項に記載のシート供給装置。
【請求項５】
前記シートトレイを上昇するための駆動を発生する駆動モータと、
前記シートトレイの下降方向の回転を所定トルクまで規制するワンウェイギアを具備し前記駆動モータの駆動を前記シートトレイに伝達するギア列と、を有し、
前記第１カバーの開放動作に応じて前記駆動モータへの電力の供給を遮断することによって前記シートトレイの上昇を停止し、
前記駆動モータへの電力の供給を遮断されても前記ワンウェイギアによって前記シートトレイは下降しないことを特徴とする請求項１乃至３のいずれか１項に記載のシート供給装置。
【請求項６】
前記第２カバーの開放動作に伴って、前記ギア列のうち前記ワンウェイギアの駆動伝達方向の下流に設けられたギアの噛合、若しくは前記ワンウェイギアと、前記ワンウェイギアと噛合し前記ワンウェイギアの駆動伝達方向の下流に設けられたギアとの噛合を解除するように、前記ワンウェイギア若しくは前記ギア列のうちの前記ワンウェイギアの駆動伝達方向の下流に設けられたギアを移動して、前記シートトレイを自重によって下降することを特徴とする請求項５に記載のシート供給装置。
【請求項７】
前記シートトレイを上昇するための駆動を発生する駆動モータと、
前記シートトレイの下降方向の回転を所定トルクまで規制するワンウェイギアを具備し前記駆動モータの駆動を前記シートトレイに伝達するギア列と、を有し、
前記第１カバーの開放に伴って、前記ギア列のうち前記ワンウェイギアの駆動伝達方向の上流に設けられたギアの噛合、若しくは前記ワンウェイギアと、前記ワンウェイギアと噛合し前記ワンウェイギアの駆動伝達方向の上流に設けられたギアとの噛合を解除するように、前記ワンウェイギアギア若しくは前記ギア列のうちの前記ワンウェイギアの駆動伝達方向の上流に設けられたギアを移動して前記シートトレイの上昇を停止し、
前記ギア列のギアの噛合を解除しても、前記ワンウェイギアによって前記シートトレイは下降しないことを特徴とする請求項１乃至３のいずれか１項に記載のシート供給装置。
【請求項８】
前記第２カバーの開放動作に伴って、前記ギア列のうち前記ワンウェイギアの駆動伝達方向の下流に設けられたギアの噛合、若しくは前記ワンウェイギアと、前記ワンウェイギアと噛合し前記ワンウェイギアの駆動伝達方向の下流に設けられたギアとの噛合を解除するように、前記ワンウェイギア若しくは前記ワンウェイギアの駆動伝達方向の下流に設けられた前記ギア列のギアを移動して、前記シートトレイを自重によって下降させ、
前記第２カバーを開放した状態において前記第１カバーを閉じても前記ギア列のギアの噛合が解除された状態を維持し、前記シートトレイは上昇しないことを特徴とする請求項７に記載のシート供給装置。
【請求項９】
シートを支持し昇降可能なシートトレイと、
前記シートトレイに支持されたシートを給送するためのシート給送部と、
装置本体に対して開閉可能に設けられた第１カバー及び第２カバーと、を備え、
前記第１カバーおよび前記第２カバーの開放に応じて前記シートトレイの下降を開始し、
前記第２カバーが閉じられた状態で前記第１カバーを閉じる動作に応じて前記シートトレイの上昇を開始し、
前記第２カバーが開放された状態で前記第１カバーが閉じられても前記シートトレイは上昇しないことことを特徴とするシート供給装置。
【請求項１０】
シートを支持し昇降可能なシートトレイと、
前記シートトレイに支持されたシートを給送するためのシート給送部と、
装置本体に対して開閉可能に設けられた第１カバーおよび第２カバーと、
前記シートトレイを上昇するための駆動を発生する駆動モータと、
前記駆動モータの駆動を前記シートトレイに伝達するためのギア列と、を有し、
前記第１カバーの開放動作に応じて、前記ギア列の噛合いが解除されるように前記ギア列に設けられたギアが移動することによって前記シートトレイが自重によって下降し、
前記第２カバーが開放された状態で前記第１カバーが閉じられても、前記開放動作によって解除された前記ギア列の噛合いが解除された状態を維持することを特徴とするシート供給装置。
【請求項１１】
シートを支持し昇降可能なシートトレイと、
前記シートトレイに支持されたシートを給送するためのシート給送部と、
前記シートトレイを上昇するための駆動を発生する駆動モータと、
前記駆動モータの駆動を前記シートトレイに伝達するためのギア列と、
装置本体に対して開閉可能に設けられた第１カバー及び第２カバーと、
前記第１カバー及び前記第２カバーの開閉動作に応じて移動可能な移動部材を有し、
前記移動部材の移動に伴って前記ギア列のギアを移動させ前記ギア列のギアの噛合を解除して前記シートトレイを下降することが可能であり、
前記第１カバーおよび前記第２カバーを閉じた状態では、前記移動部材は前記ギア列のギアが噛合する第１の位置にあり、
前記第１カバーおよび前記第２カバーを閉じた状態から、前記第１カバーの開放動作によって、前記第１の位置から前記ギア列のギアの噛合が解除される第２の位置へ前記移動部材が移動し、
前記第１カバーを開放した状態における前記第２カバーの開放動作に伴って前記第２の位置から前記ギア列のギアの噛合が解除される第３の位置へ前記移動部材は移動し、
前記移動部材が前記第２の位置にある際に前記第１カバーを閉じる動作に伴って前記移動部材は前記第２の位置から前記第１の位置へ移動し、
前記移動部材が前記第３の位置にある際に前記第１カバーを閉じても前記移動部材は前記第３の位置から前記第１の位置へは移動せず、前記ギア列のギアは解除された状態を維持するために前記シートトレイは上昇しないことを特徴とするシート供給装置。
【請求項１２】
前記第１カバーおよび前記第２カバーを開放する方向に前記移動部材を付勢する付勢手段を有し、
前記移動部材は、前記第１カバーおよび前記第２カバーと当接可能に設けられ、前記第１カバーを開放することによって前記第１カバーと当接する前記第１の位置から前記付勢手段の付勢力によって前記第２カバーと当接する前記第２の位置へ移動し、
前記第１カバーが開放された状態で、前記第２カバーを開放することによって前記第２の位置から前記付勢手段の付勢力によって前記第３の位置へ移動し、
前記移動部材が前記第３の位置にある際に前記第１カバーを閉じても前記第３の位置から前記第１の位置へは移動しないことを特徴とする請求項１１に記載のシート供給装置。
【請求項１３】
請求項１乃至１２のいずれか１項に記載のシート供給装置と、
前記シート供給装置によって供給されたシートに画像を形成する画像形成部とを有することを特徴とする画像形成装置。
【発明の詳細な説明】
【０００１】
【発明の属する技術分野】
本発明は、プリンターや複写機等の画像形成装置にシートを供給するシート供給装置に関する。
【０００２】
【従来の技術】
画像形成装置の高速化に伴い、シートの収納枚数の大容量化が求められているが、画像形成装置本体内の大容量化には限度がある。そこで、画像形成装置本体に設けるシート収納部に加え、画像形成装置本体の側部に、大容量のシートを収容し、画像形成装置本体にシートを供給するシート供給装置（サイドデッキ）が設けられている。このようなシート供給装置として、開閉可能な２つの扉が設け２つの扉の開閉してジャム処理やシートの補給を行なうものがある。
【０００３】
画像形成装置本体の側部に配置され、開閉可能な２つの扉を備えたシート給送装置として、例えば特許文献１に記載のものがある。
【０００４】
特許文献１に記載のシート給送装置の構成を図２０に、制御系のブロック図を図２１にそれぞれ示す。特許文献１に記載のシート給送装置１００は、画像形成装置２００の側方に配置され、ジャム処理およびシートの補給を行なうために開閉する上方扉１４０、側方扉１５０と、上方扉１４０、側方扉１５０の開閉状態を検知するスイッチ１４３，１４４，１５３、１５４とを備えている。上方扉１４０が開状態にあるときはシートを積載するシート積載台１１０の上昇動作が禁止され、側方扉１５０が開状態にあるときは、シート積載台１１０の上昇動作および下降動作が禁止されている。
【０００５】
側方扉１５０が閉じられた状態でユーザーによって上方扉１４０が開けられる場合、上方扉１４０が開いた旨の検知信号を受けた給紙装置側制御部１９０は、下降制御信号路１９５を介してモータドライバ１９２に下降制御信号を送る。この下降制御信号は、シート載置台１１０が所定高さだけ下降する時間分だけ送られ、これを受けたモータドライバ１９２は電源１９３からの電力を電力供給路１９６を介して昇降モータ１２１に供給し、シート載置台１１０を下降させる。こうしてシート載置台１１０が所定高さだけ下降すれば、ユーザーは、この下降した分だけシート載置台１１０上にシートＰを補給する。
【０００６】
この上方扉１４０が開いている状態で、露出している第１の強制下降操作スイッチ１４５がユーザーによって押圧操作されると、給紙装置側制御部１９０は上述した上方扉１４０が開けられた場合と同様にして、シート載置台１１０をさらに所定高さだけ下降させ、ユーザーは補給操作を続けることができる。
【０００７】
側方扉１５０から補給操作するユーザーは、まず、側方扉１５０を閉じた状態で第２の強制下降スイッチ１５５を押圧操作する。
【０００８】
この第２の強制下降操作スイッチ１５５から検知信号を受けた給紙装置側制御部１９０は、下降制御信号路１９５を介してモータドライバ１９２に下降制御信号を送る。この下降制御信号は、シート載置台１１０が最下位置検出スイッチ１１２に検知されるまで送られ、これを受けたモータドライバ１９２は電源１９３からの電力を電力供給路１９６を介して昇降モータ１２１に供給し、シート載置台１１０を最下位置まで下降させる。こうしてシート載置台１１０が下降すれば、ユーザーは側方扉１５０を開けてシート載置台１１０上にシート部材Ｐを補給することができる。
【０００９】
なお、側方扉１５０が開けられると、第１，第２の側方扉検知スイッチ１５３，１５４によって検知され、第２の側方扉検知スイッチ１５４は前記電力供給路１９６を開状態（断状態）とするため、モータドライバ１９２から昇降モータ１２１に電力が供給されない。
【００１０】
補給操作を終えたユーザーによって側方扉１５０が閉じられると、第１，第２の側方扉検知スイッチ１５３，１５４によって検知され、第２の側方扉検知スイッチ１５４は前記電力供給路１９６を閉状態（導通状態）とするため、シート載置台１１０は上昇動作および下降動作が可能となる。
【００１１】
そして、第１の側方扉検知スイッチ１５３から側方扉１４０が閉じられた旨の検知信号を受けた給紙装置側制御部１９０は、上述した上方扉１４０が閉じられた場合と同様にしてシート載置台１１０を給紙可能な位置まで上昇させる。
【００１２】
上方扉１４０および側方扉１５０の両方を開ける場合は、上述したように側方扉１５０が開けられることでシート載置台１１０の昇降動作は禁じられるため、ユーザーは、まず、側方扉１５０を閉じた状態で第２の強制下降スイッチ１５５を押圧操作することが必要である。
【００１３】
また、補給操作を終えたユーザーによって上方扉１４０および側方扉１５０の両方が閉じられれば、シート載置台１１０は給紙可能な位置まで上昇する。
【００１４】
【特許文献１】
特開２００１−３１０８２９号公報
【００１５】
【発明が解決しようとする課題】
近年シート供給装置において更なる生産性の向上とユーザーの作業性・安全性の向上が求められている。また、より安価な装置を提供することが求められている。
【００１６】
上記した従来のシート供給装置では、側方扉を開放してシートを補給する場合には、予め強制下降スイッチを押圧操作してシートトレイ（シート載置台）を下降した後に、側方扉を開放する構成であるため、強制下降スイッチを押圧操作してからシートトレイが最下位置に達するまでユーザーは待機している必要があった。したがって、シートトレイが下降するのを待つための待ち時間によりユーザーの作業性が悪化するとともにシートを補給する際に時間がかかり画像形成の生産性が低下するという問題があった。
【００１７】
また、上記した従来のシート供給装置は、２つの扉の開閉を検知するためのスイッチやシートトレイを下降するための強制下降スイッチをそれぞれ複数個備え、それらのスイッチから信号を処理するための電気部品なども備えたものであったために、構成が複雑で部品のコストもかかり高価な装置であった。そこで簡単な構成でシートトレイの昇降動作を切り換えることが可能な安価なシート供給装置が望まれていた。
【００１８】
本発明は、上記問題に鑑みてなされ、ユーザーの操作性・安全性を損なうことなく生産性を向上させる安価なシート供給装置を提供することを目的としている。
【００１９】
【課題を解決するための手段】
上記目的を達成するための本発明の代表的な構成は、シートを支持し昇降可能なシートトレイと、前記シートトレイに支持されたシートを給送するためのシート給送部と、装置本体に対して開閉可能に設けられた第１カバー及び第２カバーと、を備え、前記第１カバーと前記第２カバーとが閉じている際に前記シートトレイは所定の給紙位置に達するまで上昇し、前記第２カバーが閉じている状態において前記第１カバーを開放する動作に応じて前記シートトレイの上昇は停止し、前記第１カバーが開放している状態で前記第２カバーを開放する動作に応じて前記シートトレイの下降を開始することを特徴とするシート供給装置である。
【００２０】
【発明の実施の形態】
（第１の実施例）
本発明の第１の実施の形態を図１から図６を用いて説明する。
【００２１】
図１は、本発明の第１の実施の形態に係る画像形成装置の正面図である。画像形成装置１は、画像形成装置本体１ａと、画像形成装置本体１にシートを供給するために画像形成装置本体１ａの側部に設けられたシート供給装置（サイドデッキ）２とによって構成される。図２はシート給送装置のカバーを開放した状態を示す画像形成装置の正面図である。
【００２２】
画像形成装置本体１ａにはシートに画像を形成するための画像形成部Ｇが設けられている。画像形成部Ｇは電子写真方式を採用しており公知の装置によって構成されるために詳細な説明は省略する。
【００２３】
シート供給装置２は、本発明の第１カバーとしての上カバー２１と本発明の第２カバーとしての右カバー２３とを有し、それぞれ上カバー回動支点２２、右カバー回動支点２４を回動中心としてシート供給装置本体２ａに対して開閉可能に取り付けられている。
【００２４】
シート供給装置２のシート供給装置本体２ａ内には、シートを支持するためのシートトレイＴと、シートトレイＴによって支持されたシートＳを給送するためのシート給送部Ｆとが設けられている。シートトレイＴは後に詳細に説明するリフトアップ機構によって昇降する。
【００２５】
シートトレイＴに支持されたシートＳは、シート給送部Ｆにより給送され画像形成装置本体１ａに搬送される。画像形成装置本体１ａに搬送されたシートは画像形成部Ｇによって表面に画像が形成される。
【００２６】
シート供給装置本体２ａ内でジャムが発生した場合には、上カバー２１を開放してジャム処理を行う。また、シートＳを補給する際には、上カバー２１と右カバー２３の両方を開放する必要があるために、上カバー２１を開放した後に右カバー２３を開放してシートを補給する。このように上カバー２１と右カバー２３を設けることにより、ジャム処理の際には必要なカバーのみを開放するためユーザーの作業性が向上する。
【００２７】
図３乃至図６を用いて本発明の特徴であるカバーを開閉してシートトレイＴの昇降を制御する構成について説明する。
【００２８】
まず、図３乃至図５及び図１７乃至図１９を用いてシートトレイＴを昇降するためのリフトアップ機構の構成について説明する。図３はリフトアップ機構を外側から見た斜視図であり、図４はリフトアップ機構を内側からみた図であり、図５はリフトアップ機構と上カバー２１、右カバー２３との位置関係を示す図であり、図１７はシートトレイＴを昇降する構成を説明する斜視図であり、図１８および図１９はシートトレイＴを上昇するための駆動を伝達するギア列の構成を示す詳細図である。
【００２９】
図４に示す１０はシート供給装置本体２ａに固定された駆動側板であり、シートトレイＴを上昇するための駆動力を発生する駆動モータ１１を保持している。駆動側板１０には、モータギア軸１１２、ワンウェイギア軸１１３、アイドラギア軸１１５、接続ギア軸１１６が設けられ、それぞれの軸にはモータギア１２、ワンウェイギア１３、アイドラギア１５、接続ギア１６が軸着されている。駆動モータ１１の駆動力はモータギア１２、ワンウェイギア１３、後述する揺動ギア１４、アイドラギア１５を経て接続ギア１６に伝達される。なお、モータギア１２、ワンウェイギア１３、揺動ギア１４、アイドラギア１５によって本発明のギア列を構成している。
【００３０】
ワンウェイギア１３はワンウェイクラッチ機構を内包しており、シートトレイＴを上昇させる方向へ回転可能であるがシートトレイＴを下降させる方向へは回転しない。ワンウェイギア１３がシートトレイＴを下降する方向には回転しないために、駆動モータ１１に駆動電力を供給せず駆動モータ１１が停止している場合であっても、ギア列のギアが噛合っている際にはシートトレイＴは下降しない。
【００３１】
１７は揺動板金であり、図５に示すように揺動板金１７の当接部１７ａが右カバー２３に当接可能に設けられている。揺動板金１７は、駆動側板１０に設けられた揺動支持軸１８を揺動の支点として駆動側板１０に対して揺動可能に取り付けられている。２０は揺動ばねであり、駆動側板１０と揺動板金１７に取り付けられ、揺動板金１７を図５における時計方向に付勢している。右カバー２３が閉じた状態では揺動板金１７の当接部１７ａが右カバー２３に当接し揺動板金１７の時計周りの方向への揺動が規制されている。右カバー２３の開放に伴って揺動ばね２０の付勢力によって揺動板金１７は図５における時計回りの方向に揺動する。なお、揺動板金１７と揺動ばね２０とによって本発明のトレイ下降手段を構成している。
【００３２】
揺動板金１７には、揺動ギア１４が軸着された揺動ギア軸１９が設けられている。揺動板金１７が揺動支持軸１８を支点として揺動することによって揺動ギア軸１９に設けられた揺動ギア１４は揺動する。揺動ギア軸１９は、駆動側板１０に形成された長穴１０ａ（図３に図示）に挿入されており、揺動板金１７の揺動に伴って長穴１０ａに沿って移動する。
【００３３】
図４および図１９に示すように、揺動板金１７が右カバー２３により規制されていない状態では、揺動ギア１４が上方に揺動して、揺動ギア１４の小ギア部１４ａがアイドラギア１５と離間するため、駆動の伝達が遮断され、図５および図１８に示すように、揺動板金１７の揺動が右カバー２３により規制されると、揺動ギア１４の小ギア部１４ａはアイドラギア１５と噛合うために駆動が伝達される。
【００３４】
２５はシート供給装置本体２ａに取り付けられたインターロックスイッチであり、スイッチレバー２６は上カバー２１の開閉に伴って開位置または閉位置に移動する。インターロックスイッチ２５は、駆動モータ１１への電力供給の接続、遮断を行うものであり、スイッチレバー２６が閉じている状態では駆動モータ１１に電力が供給され、スイッチレバー２６が開いている状態では駆動モータ１１への電力の供給が遮断される。なお、インターロックスイッチ２５とスイッチレバー２６とによって本発明のトレイ停止手段が構成されている。
【００３５】
図１７は、接続ギア１６に伝達された駆動力によってシートトレイＴを上昇するための構成を示した斜視図である。接続ギア１６が軸着された接続ギア軸１１６は巻き取り軸８１と結合しており、接続ギア１６に伝達された駆動力によって巻き取り軸８１は回転する。巻き取り軸８１にはシートトレイＴを上昇するためのワイヤ８４、８５を巻き取るワイヤドラム８７が設けられている。
【００３６】
シートトレイＴの左右には左側板８２および右側板８３が立設されている。左側板８２、右側板８３にはそれぞれワイヤ８４、８５を張設するためのプーリー８６が設けられている。シートトレイＴの４隅には突起Ｔａが形成されており、左側板、右側板のそれぞれの両端側にシートトレイＴの突起Ｔａが配設されている。
【００３７】
シートトレイＴの突起Ｔａには、プーリー８６に張設されたワイヤ８４の一端が取り付けられており、ワイヤ８４の他端はワイヤドラム８７に取り付けられている。ワイヤドラム８７は巻き取り軸８１に軸着されているので、駆動モータ１１の駆動が巻き取り軸８１に伝達されて巻き取り軸８１が回転すると、ワイヤドラム８７がワイヤ８４、８５を巻き取ってシートトレイＴが上昇する。
【００３８】
図１７においては左側板１２３側のみを図示してあるが、右側板１２４側も同様に、一端がシートトレイＴの突起Ｔａに他端がワイヤドラムに取り付けられているワイヤ８５が、右側板１２４に設けられているプーリーに張設されている。
【００３９】
次に、上カバー２１および右カバー２３の開閉に伴ってシートトレイＴの昇降が切換わる動作について説明する。
【００４０】
図５に示す上カバー２１が閉じた状態においてスイッチレバー２６は閉じており、コントローラから駆動モータ１１へ駆動電力が供給されシートトレイＴは上昇する。図５に示すような上カバー２１と右カバー２３とが閉じた状態においては、紙面センサＳによってシートトレイＴに支持された最上位のシートが所定の給紙位置に達したことが検知されるまでシートトレイＴは上昇する。
【００４１】
図５に示す上カバー２１および右カバー２３が閉じられた状態から、上カバー２１を開放する動作によってシートトレイＴは停止する。図５の斜線は上カバー２１が開いた状態を示し、上カバー２１の開放によってスイッチレバー２６は開いた状態となる。スイッチレバー２６が開いた状態であるために、インターロックスイッチ２５によって駆動モータ１１への駆動電力は遮断される。駆動モータ１１への電力が遮断されているためにシートトレイＴは上昇しない。上述したようにワンウェイギア１３はシートトレイＴを下降する方向には回転しないためにワンウェイギア１３の保持機能により、駆動モータ１１への駆動電力が遮断されてもシートトレイＴは下降することなく上カバー２１を開放した際の高さに保持される。
【００４２】
図６に示すように右カバー２３を開放すると、右カバー２３の開放動作に伴い揺動ばね２０の付勢力によって揺動板金１７が揺動する。揺動板金１７の揺動によって、揺動板金１７に設けられた揺動ギア軸１９に軸着されている揺動ギア１４が移動し、揺動ギア１４の小ギア部１４ａとアイドラギア１５との噛合が解除され揺動ギア１４とアイドラギア１５とが離間する。揺動ギア１４及びアイドラギア１５はワンウェイギア１３の駆動伝達方向の下流側に位置しているので、揺動ギア１４の小ギア部１４ａとアイドラギア１５との噛合が解除されることによってワンウェイギア１３による保持機能が解除されて、シートトレイＴは自重により最下位置まで落下する。即ち、右カバー２３を開放する動作によって揺動板金１７が移動して揺動ギア１４とアイドラギア１５との噛合が解除されシートトレイＴの下降が開始される。
【００４３】
右カバー２３を閉じると、右カバー２３を閉じる動作に伴って揺動板金１７が図４の時計回りの方向に揺動する。揺動板金１７の揺動によって揺動板金１７に設けられた揺動ギア軸１９に軸着されている揺動ギア１４が移動する。右カバー２３を閉じる動作に伴う揺動ギア１４の移動によって、揺動ギア１４の小ギア部１４ａとアイドラギア１５とが噛合する。
【００４４】
右カバー２３を閉じる動作によって揺動ギア１４とアイドラギア１５とが噛合っても、上カバー２１が開放している場合には駆動モータに電力が供給されていないので、シートトレイＴは上昇しない。右カバー２３を閉じた状態において上カバー２１を閉じることによってシートトレイＴは上昇を開始する。
【００４５】
なお、本実施の形態においては、右カバー２３の開放に伴って、ワンウェイギア１３の駆動伝達方向の下流側に設けられている揺動ギア１４とアイドラギア１５との噛合を解除するように揺動ギア１４を移動する構成を示したが、これに限定されるものではなくワンウェイギア１３と揺動ギア１４との噛合が解除されるように揺動ギア１４を移動させてもよい。また、揺動ギア１４をワンウェイギアとしてもよい。
【００４６】
なお、本実施の形態においてワンウェイギア１３としてシートトレイＴが下降する方向へは回転しないギアを示したが、所定トルクまで回転を規制するギアであっても同様の効果を奏する。
【００４７】
なお、本実施の形態においては、以下のような特有の効果を奏する。
１．上カバー２１の開放によってシートトレイＴが停止し右カバーの開放によってシートトレイＴが下降するために、ユーザーは２つのカバーのうち必要なカバーのみを開放すればよいため作業性が向上する。
２．上カバー２１のみを開放してもシートトレイＴは下降せず、上カバー２１を開放した際の高さを保持するために、ジャム処理を行なうために上カバー２１を開放した場合にはシートトレイＴが下降することはなく不必要なシートトレイの昇降によって画像形成装置の生産性が低下することがない。
３．右カバー２３の開放動作に応じてシートトレイＴの下降が開始されるために、ユーザーがシートトレイＴの下降を待つ待ち時間が生じないのでシート補給時の作業性が向上すると共に画像形成装置の生産性の低下が防止される。
４．上カバー２１が開放された状態では駆動モータ１１への電力の供給が遮断されており、上カバー２１が開放されている状態では右カバー２３を閉じてもシートトレイＴは上昇しないので、２つのカバーのうちいずれかが開放されている際にはシートトレイＴの上昇が行なわれないため、ユーザーにとって安全な装置を提供できる。
【００４８】
（第２の実施の形態）
第２の実施の形態を図７から図１１に示す。第１の実施の形態においては上カバー２１の開放により駆動モータ１１への電力供給を遮断しシートトレイＴの上昇を停止したが、本実施の形態においては上カバー２１の開放に伴って揺動板金３１を移動させて駆動モータの駆動力を伝達するギアの噛合いを解除することによりシートトレイＴの停止を行なう点が異なり、異なる部分を詳細に説明して、その他の構成については第１の実施の形態と同様であるため詳細な説明は省略する。
【００４９】
まず、図７及び図８を用いてシートトレイＴを昇降するためのリフトアップ機構の構成について説明する。図７はリフトアップ機構と上カバー２１、右カバー２３との位置関係を示す図であり、図８はリフトアップ機構を内側からみた図である。
【００５０】
１１は、駆動モータであり、リフトアップ機構の動力源である。シート供給装置本体２ａに固定された駆動側板１００は、駆動モータ１１と、モータギア５２が軸着されたモータギア軸１５２と、アイドラギア５５が軸着されたアイドラギア軸１５５と接続ギア５６が軸着された接続ギア軸１５６を保持している。駆動モータ１１に結合されたモータギア５２より、揺動可能なワンウェイギア５３、揺動ギア５４、アイドラギア５５、を経て接続ギア５６へ駆動モータ１１による駆動力が伝達される。第１の実施の形態と同様に、接続ギア５６へ伝達された回転駆動力は、巻き取り軸に伝達され巻き取り軸を回転させ、巻き取り軸に設けられたワイヤドラムによってワイヤが巻き取られシートトレイＴが上昇する。
【００５１】
３１は、揺動板金であり、揺動可能なワンウェイギア５３が設けられたワンウェイギア軸５８と揺動ギア５４が設けられた揺動ギア軸５９を保持している。駆動側板１００には、長穴１００ａ、１００ｂが形成されており、揺動板金３１に保持されたワンウェイギア軸５８と揺動ギア軸５９がそれぞれ長穴１００ａ、１００ｂに挿入されて長穴１００ａ、１００ｂに沿って移動可能に設けられている。ワンウェイギア軸５８又は揺動ギア軸５９が長穴１００ａ、１００ｂに沿って移動することによって揺動板金３１は駆動側板１００に沿って揺動する。
【００５２】
３３は上カバー連動部材であり、両端をシート供給装置本体２ａに取り付けられたレバー支点３４を回動中心として回動可能に取り付けられている。上カバー連動部材３３は、レバー支点３４を支点として付勢ばね３４ａにより図７における時計回りの方向に付勢されている。上カバー２１が閉じている状態では、上カバー２１に一体に設けられた上カバー当接部３０と上カバー連動部材３３の当接部３３ａとが当接して上カバー連動部材３３の回動が規制されており、上カバー２１を開放する動作に伴って付勢ばね３４ａの付勢力により図７の時計回りの方向に回動する。
【００５３】
３５は、揺動リンクであり、一端を上カバー連動部材３３に設けられた第１リンク支点３６に、他端を揺動板金３１に設けられた第２リンク支点３７に夫々の支点で回動自在に取り付けられている。上カバー２３を開放する動作に伴って上カバー連動部材３３が回動し揺動リンク３５を上方へ移動させる。揺動リンク３５の上方への移動に伴って揺動板金３１は揺動する。揺動リンク３５の上方への移動に伴う揺動板金３１の揺動は、揺動ギア軸５９を支点としてワンウェイギア軸５８が駆動側板１００の長穴１００ａに沿って移動して行なわれるように長穴１００ａ、１００ｂの形状が設定されている。
【００５４】
３２は揺動ばねであり、一端を右カバー２３に他端を揺動板金３１に取り付けられている。右カバー２３を開放することにより、揺動ばね３２が伸長して不勢力が発生し、揺動板金３１を第２リンク支点３７を支点として図７の反時計回りに揺動させる。右カバー２３を開放する動作に伴う揺動板金３１の揺動が、第２リンク支点３７を支点として揺動ギア軸５９が駆動側板１００に形成された長穴１００ｂに沿って移動して行なわれるように長穴１００ａ、１００ｂの形状が設定されている。なお、上カバー当接部３０、上カバー連動部材３３、揺動リンク３５、揺動板金３１によって本発明のトレイ停止手段が構成され、揺動リンク３５、揺動板金３１、揺動ばね３２によって本発明のトレイ下降手段が構成される。
【００５５】
以下、上カバー２１及び右カバー２３の開閉動作に伴って揺動板金３１が揺動し、シートトレイＴの昇降が切り換わる動作について説明する。
【００５６】
図７に示す上カバー２１と右カバー２３を閉じた状態において、モータギア５２、揺動可能なワンウェイギア５３、揺動ギア５４、アイドラギア５５、接続ギア５６はそれぞれ噛合っており、駆動モータ１１の駆動は接続ギア５６に伝達されるためにシートトレイＴは上昇する。上カバー２１と右カバー２３とが閉じた状態においては、紙面センサＳによってシートトレイＴに支持された最上位のシートが所定の給紙位置に達したことが検知されるまでシートトレイＴは上昇する。
【００５７】
図９に示すように上カバー２１を開放すると、上カバー２１を開放する動作に伴って上カバー連動部材３３と上カバー当接部３０とが離間し、上カバー連動部材３３は付勢ばね３４ａによってレバー支点３４を中心に図７における時計回りに回動する。上カバー連動部材３３の回動によって上カバー連動部材３３に設けられた第１リンク支点３６は移動するため、第１リンク支点３６に取り付けられた揺動リンク３５は上方へ移動する。揺動リンク３５の上方への移動に伴い揺動板金３１が揺動する。この際、揺動ギア軸５９を支点としてワンウェイギア軸５８が長穴１００ａに沿って移動するように揺動板金３１は揺動する。揺動板金３１の揺動によって、揺動ギア５４とアイドラギア５５との噛合いは維持されたままモータギア５２と揺動可能なワンウェイギア５３との噛合いが解除される。
【００５８】
モータギア５２と揺動可能なワンウェイギア５３との噛合いが解除されることにより、駆動モータ１１の駆動力はシートトレイＴに伝達されなくなるのでシートトレイＴの上昇は停止する。しかしながら接続ギア５６から揺動可能なワンウェイギア５３までのギア列は結合されており揺動可能なワンウェイギア５３はシートトレイＴを下降する方向には回転しないため、シートトレイＴは下降することなく停止する。上カバー２１が開放された状態では、上カバー連動部材３３は付勢ばね３４ａに付勢された状態で所定位置に停止する。これにより上カバー２１が開放された状態ではモータギア５２と揺動可能なワンウェイギア５３との噛合が解除された状態に維持される。即ち、上カバー２１および右カバー２３が閉じられた状態から、上カバー２１を開放する動作によってシートトレイＴは下降することなく停止し、シートトレイＴは上カバー２１を開放した際の高さを保持する。
【００５９】
また、右カバー２３を閉じて上カバー２１を開放した状態における上カバー連動部材３３の停止位置は、上カバー２１が閉じられると上カバー当接部３０が上カバー連動部材３３の当接部３３ａに当接し、上カバー連動部材３３が図７に示す初期位置に戻ることが可能な位置である。よって右カバー２３を閉じた状態から上カバー２１を閉じると、上カバー当接部３０と上カバー連動部材３３の当接部３３ａとが当接して、上カバー当接部３０が付勢ばね３４ａの付勢力に抗して上カバー連動部材３３を回動させる。上カバー連動部材３３の回動によって揺動板金３１は揺動ギア軸５９を支点として図９の時計回りの方向に揺動する。揺動板金３１の揺動によってモータギア５２と揺動可能なワンウェイギア５３とが噛合し駆動モータ１１の駆動が伝達されてシートトレイＴは上昇する。
【００６０】
図１０に示すように、上カバー２１を開放した状態から右カバー２３を開放すると、右カバー２３の開放に応じて右カバー２３に取り付けられている揺動ばね３２が伸長し、揺動板金３１は、第２リンク支点３７を中心に揺動ばね３２の付勢力により図９における時計回りの方向へ揺動する。右カバー２３が開放することによる揺動板金３１の揺動はリンク支点３７を支点として揺動ギア軸５９が駆動側板１００の長穴１００ｂに沿って移動して行なわれる。よって右カバー２３の開放に伴う揺動板金３１の揺動によって、揺動ギア５４とアイドラギア５５の噛合いが解除される。ワンウェイギア５３より下流のギア列が解除されることによって、ワンウェイギア５３による保持機能が解除されてシートトレイＴは自重によって最下位置まで下降する。
【００６１】
上カバー２１および右カバー２３を開放した状態から右カバー２３を閉じると、揺動板金３１は反時計回りの方向に回動して揺動ギア５４とアイドラギア５５とが噛合する。右カバー２３が閉鎖されても上カバー２１が開放されている場合はモータギア５２と揺動可能なワンウェイギア５３との噛合が解除されたままなので、駆動モータ１１の駆動はシートトレイＴに伝達されないのでシートトレイＴは上昇しない。
【００６２】
図１１は、右カバー２３を開放した状態から、上カバー２１を閉じた状態を示している。上カバー連動部材３３は、上カバー２１を閉じることにより、上カバー当接部３０と当接して時計周りの方向に回動し、カバー連動部材３３の回動によって揺動リンク３５も下方へ移動する。しかしながら、右カバー２３の開放によって揺動ばね３２が伸張され、第２リンク支点３７を中心として時計周りの方向に揺動板金３１が揺動ばね３２によって付勢されているために、モータギア５２と揺動可能なワンウェイギア５３との噛合い及び揺動ギア５４とアイドラギア５５との噛合いは解除されたまま維持される。即ち、右カバー２３を開放した状態で上カバー２１を閉じてもシートトレイＴは上昇しない。
【００６３】
なお、本実施の形態のおいて、揺動ばね３２は右カバー２３の緩衝ばねを兼ねている。
【００６４】
なお、本実施の形態においては、上カバー２３の開放に伴って、揺動可能なワンウェイギア５３と、揺動可能なワンウェイギア５３と噛合し揺動可能なワンウェイギア５３の駆動伝達方向の上流側に設けられているモータギア５２との噛合を解除するように揺動可能なワンウェイギア５３を移動する構成を示したが、これに限定されるものではなく、上カバー２３の開放に伴ってワンウェイギアの駆動伝達方向の上流側に設けられているギアの噛合いを解除するように、ワンウェイギアの駆動伝達方向の上流側に設けられているギアを移動させてもよい。
【００６５】
なお、本実施の形態においては、右カバー２３の開放にともなって、揺動可能なワンウェイギア５３の駆動伝達方向の下流側に設けられている揺動ギア５４とアイドラギア５５との噛合を解除するように揺動ギアを移動する構成を示したが、これに限定されるものではなくワンウェイギア５３と揺動ギア５４との噛合が解除されるように揺動ギア５４を移動させてもよい。また、揺動ギア５４をワンウェイギアとしてもよい。
【００６６】
なお、本実施の形態において揺動可能なワンウェイギア５３としてシートトレイＴが下降する方向へは回転しないギアを示したが、所定トルクまで回転を規制するギアであっても同様の効果を奏する。
【００６７】
なお、本実施の形態においては、第１の実施の形態での効果に加え、２つのカバーにより構成されるシート補給またはジャム処理のために開閉する２つのカバーの開閉動作に応じて動作するリンク部材を設けることによって、駆動モータの電気配線を切断することなく、駆動の解除、結合を行うことが可能となり、電気部品のコスト低減および配線作業の簡易化を図ることができる。
【００６８】
（第３の実施の形態）
第３の実施の形態を図１２から図１６に示す。本発明の第１の実施の形態では、上カバー２１の開放により駆動モータ１１への電力供給を遮断し、右カバー２３の開放に伴って揺動板金を揺動させて揺動板金に設けられたギアの噛合いを解除してシートトレイＴの昇降を制御する構成であったが、本実施の形態では上カバー２１および右カバー２３のそれぞれに当接・離間可能なカバー連動部材の移動によって揺動板金を移動させ、シートトレイＴの昇降を切換える点が異なり、異なる点を詳細に説明しその他の構成は第１の実施の形態と同様であるため詳細な説明は省略する。
【００６９】
まず、図１２及び図１３を用いてシートトレイＴを昇降するためのリフトアップ機構と上カバー２１、右カバー２３の構成について説明する。図１２はリフトアップ機構を内側からみた図であり、図１３は上カバー２１、右カバー２３との位置関係を示す図である。
【００７０】
１１は、駆動モータであり、駆動側板１０００によって保持されたリフトアップ機構の動力源である。駆動側板１０００には、モータギア軸１７２、ワンウェイギア軸１７３、アイドラギア軸１７５、接続ギア軸１７６が設けられ、それぞれの軸にはモータギア７２、ワンウェイギア７３、アイドラギア７５、接続ギア７６が軸着されている。駆動モータ１１に結合されたモータギア７２より、ワンウェイギア７３、揺動ギア７４、アイドラギア７５、を経て接続ギア７６へ駆動モータ１１による駆動力が伝達される。接続ギア７６へ伝達された回転駆動力は、図１７の巻き取り軸８１に伝達され巻き取り軸８１を回転する。巻き取り軸８１に設けられたワイヤドラム８７によってワイヤ８４、８５が巻き取られシートトレイＴが上昇する。
【００７１】
４０は、本発明の移動部材としてのカバー連動部材であり、両端をシート供給装置本体２ａに取り付けられたレバー支点４１を回動中心として回動可能に取り付けられている。カバー連動部材４０には、上カバー２１に設けられた上カバー当接部５１に当接可能な第１当接部４０ａと、右カバー２３に設けられた右カバー当接部５０に当接可能な第２当接部４０ｂとが設けられている。カバー連動部材４０は、付勢ばね４１ａによってレバー支点４１を支点として図１２における反時計回りの方向に付勢されており、上カバー当接部５１若しくは右カバー当接部５０と当接することによってカバー連動部材４０の移動が規制されている。したがって上カバー２１（または右カバー２３）の開閉動作に伴って、カバー連動部材４０と上カバー当接部５１（または右カバー当節部５０）とが当接・離間することによりカバー連動部材４０は移動することが可能である。
【００７２】
４２は、揺動板金であり、揺動ギア７４が設けられた揺動ギア軸１７４を保持し、揺動支持軸６０を支点として揺動可能に取り付けられている。揺動ギア軸１７４は駆動側板１０００に形成された長穴１０００ａに挿入されており長穴１０００ａに沿って移動可能に設けられている。よって揺動板金４２の揺動は、揺動ギア軸１７４が駆動側板１０００に形成された長穴１０００ａに沿って移動するように行なわれる。
【００７３】
４３は、揺動リンクであり、一端をカバー連動部材４０上の第１リンク支点４４、他端を揺動板金４２上の第２リンク支点４５に夫々の支点において回動自在に取り付けられている。なお、上カバー当接部５１、右カバー当接部５０、カバー連動レバー４０、揺動リンク４３、揺動板金４２によって本発明のトレイ下降手段が構成される。
【００７４】
以下、上カバー２１及び右カバー２３の開閉に伴う動作について説明する。
【００７５】
図１２に示す上カバー２１と右カバー２３を閉じた状態において、駆動ギア７２、ワンウェイギア７３、揺動ギア７４、アイドラギア７５、接続ギア７６はそれぞれ噛合っており、駆動モータ１１の駆動は接続ギア７６に伝達されるためにシートトレイＴは上昇する。図１２に示ような上カバー２１と右カバー２３とが閉じた状態においては、紙面センサＳによってシートトレイＴに支持された最上位のシートが所定の給紙位置に達したことが検知されるまでシートトレイＴは上昇する。なお、図１２および図１３は上カバー２１と右カバー２３が共に閉じられた状態を示しており、この状態におけてカバー連動レバー４０は本発明の第１の位置にある。
【００７６】
図１４は、上カバー２１と右カバー２３とをそれぞれ閉じている図１２に示す状態から、上カバー２１を開放したときの状態を示している。上カバー２１を開放することにより、カバー連動部材４０に当接していた上カバー当接部５１がカバー連動部材４０から離間する。カバー連動部材４０は付勢ばね４１ａの付勢力によって図１２における半時計回りの方向に回動し右カバー当接部５０と当接して本発明の第２の位置で停止する。
【００７７】
カバー連動部材４０の回動によってカバー連動部材４０の第１リンク支点４４も移動し、揺動リンク４３は上方へ移動する。揺動リンク４３の上方への移動に伴い、揺動板金４２は、揺動支持軸６０を揺動中心として図１２における時計周りの方向へ揺動する。揺動板金４２の揺動により、揺動板金４２に固定された揺動ギア軸１７４に設けられた揺動ギア７４が移動して、揺動ギア７４とアイドラギア７５の噛合いが解除される。即ち、上カバー２１を開放することにより、駆動モータ１１から接続ギア７６までの駆動伝達経路の一部が解除されるため、トレイシートＴが自重によって最下位置まで下降する。
【００７８】
右カバー２３を閉じた状態から上カバー２１を閉じると、上カバー当接部５１とカバー連動部材４０と当接し、上カバー当接部５１が付勢ばね４１ａの付勢力に抗してカバー連動部材４０を図１４における時計回りの方向に回動させ第１の位置で停止する。カバー連動部材４０の回動によって揺動リンク４３は下方へ移動し揺動板金４２は揺動支持軸６０を支点として半時計回りの方向に揺動する。揺動板金４２の揺動によって揺動ギア７４とアイドラギア７５が噛合い、駆動モータ１１の駆動が伝達されるためにシートトレイＴは上昇する。
【００７９】
図１５は、上カバー２１を開放し右カバー２３を閉じている図１４に示す状態から、右カバー２３を開放した状態を示している。上カバー２１を開放した状態から右カバー２３を開放することにより、右カバー当接部５０とカバー連動部材４０の第２当接部４０ｂとが離間して、付勢ばね４１ａの付勢力によって反時計周りの方向へカバー連動部材４０は回動し、本発明の第３の位置で停止する（図１５の状態）。右カバー２３を開放してカバー連動部材４０が第３の位置に移動しても、揺動ギア７４とアイドラギア７５との噛合は解除されたまま維持される。
【００８０】
図１６は、上カバー２１と右カバー２３とが開放されている図１５に示す状態から、上カバー２１を閉じた状態を示している。カバー連動レバー４０が図１５に示す第３の位置にあるときは、上カバー２１を閉じても、上カバー当接部５１とカバー連動部材４０とは当接せず上カバー当接部５１によってカバー連動部材４０が移動することはない。よって、揺動ギア７４とアイドラギア７５との噛合は解除されたまま維持される。すなわち、右カバー２３が開放された状態から上カバー２１を閉じてもカバー連動部材は図１２に示す第１の位置に移動することはなく、揺動ギア７４とアイドラギア７５との噛合は解除されたままであるためシートトレイＴは上昇しない。
【００８１】
本実施の形態においては以下に記す特有の効果を奏する。
１．２つのカバーのうちいずれかが開放されている際にはシートトレイの上昇が行なわれないため、安全なシート供給装置を提供できる。
２．上カバー２１および右カバー２３の開放に伴って移動するカバー連動レバー４０を設け、カバー連動レバー４０の移動によってシートトレイＴを上昇するための駆動を伝達するギア列のギアを噛合・噛合解除してシートトレイＴの昇降を切り換えるために、２つのカバーの開閉動作に応じてシートトレイの昇降を切り換えることが簡単な構成で行なうことができ、安価な装置を提供できる。
【００８２】
なお、本実施の形態においては、揺動ギア７４とアイドラギア７５の噛合のみ解除される構成を示したが、右カバー２３を開放する動作に応じてカバー連動レバー４０はさらに移動するので、この右カバー２３の開放に伴うカバー連動レバー４０の移動を利用して、上カバー２１の開放に伴って解除されるギアとは別のギアの噛合を解除してもよい。例えば、上カバー２１の開放に伴って駆動ギアとワンウェイギアの噛合を解除し、右カバー２３の開放に伴って揺動ギアとアイドラギア７５の噛合を解除することも可能である。
【００８３】
【発明の効果】
シート補給又はジャム処理のために開閉可能な上カバー及び右カバーを有し、右カバーを閉じた状態で上カバーを開放することによってシートトレイが停止し、上カバーが開放している状態で右カバーの開放によってシートトレイの降下が開始されるために、シートを補給する際の生産性の低下を防止することが可能なシート供給装置を提供することができる。
【図面の簡単な説明】
【図１】本発明の第１の実施の形態における画像形成装置の概略図。
【図２】本発明の第１の実施の形態おけるカバーを開放した状態の画像形成装置の概略図。
【図３】本発明の第１の実施の形態におけるリフトアップ機構を外側から見た斜視図。
【図４】本発明の第１の実施の形態におけるリフトアップ機構を内側からみた説明図。
【図５】本発明の第１の実施の形態における上カバー及び右カバーが閉じられた状態を示す概略図。
【図６】本発明の第１の実施の形態における上カバー及び右カバーが開放された状態を示す概略図。
【図７】本発明の第２の実施の形態におけるリフトアップ機構を内側からみた説明図。
【図８】本発明の第２の実施の形態におけるリフトアップ機構を外側からみた説明図。
【図９】本発明の第２の実施の形態における上カバーを開放し右カバーを閉じた状態を示す概略図。
【図１０】本発明の第２の実施の形態における上カバー及び右カバーを開放した状態を示す概略図。
【図１１】本発明の第１の実施の形態における上カバーを閉じ右カバーを開放した状態を示す概略図。
【図１２】本発明の第３の実施の形態におけるリフトアップ機構を内側からみた説明図。
【図１３】本発明の第３の実施の形態におけるリフトアップ機構を外側からみた説明図。
【図１４】本発明の第３の実施の形態における上カバーを開放し右カバーを閉じた状態を示す概略図。
【図１５】本発明の第３の実施の形態における上カバー及び右カバーを開放した状態を示す概略図。
【図１６】本発明の第３の実施の形態における、上カバー及び右カバーを開放した状態から上カバーを閉じた状態を示す図。
【図１７】本発明のトレイを昇降するための構成を説明する斜視図。
【図１８】本発明の第１の実施の形態におけるリフトアップ機構を外側から見た図（右カバー２３を閉じた状態）。
【図１９】本発明の第１の実施の形態におけるリフトアップ機構を外側から見た図（右カバー２３を開放した状態）。
【図２０】従来のシート供給装置および画像形成装置本体の概略図。
【図２１】従来のシート供給装置および画像形成装置本体における制御系のブロック図。
【符号の説明】
１  画像形成装置
１ａ  画像形成装置本体
２  シート供給装置
２ａ  シート供給装置本体
１０  駆動側板
１１  駆動モータ
１２  モータギア
１３  ワンウェイギア
１４  揺動ギア
１５  アイドラギア
１６  接続ギア
１７  揺動板金
１７ａ  揺動板金当接部
１８  揺動支持軸
１９  揺動ギア軸
２０  揺動ばね
２１  上カバー
２２  上カバー回動支点
２３  右カバー
２４  右カバー回動支点
２５  インターロックスイッチ
２６  スイッチレバー
３０  上カバー当接部
３１  揺動板金
３２  揺動ばね
３３  上カバー連動部材
３４  レバー支点
３５  揺動リンク
３６  第１リンク支点
３７  第２リンク支点
４０  カバー連動部材
４１  レバー支点
４２  揺動板金
４３  揺動リンク
４４  第１リンク支点
４５  第２リンク支点
５０  右カバー当接部
１００  駆動側板
１４０  側方扉
１４３、１４４、１５３、１５４  スイッチ
１０３  右カバー固定部
Ｓ  シート
【図１】
2004210456.tif 000003
【図２】
2004210456.tif 000004
【図３】
2004210456.tif 000005
【図４】
2004210456.tif 000006
【図５】
2004210456.tif 000007
【図６】
2004210456.tif 000008
【図７】
2004210456.tif 000009
【図８】
2004210456.tif 000010
【図９】
2004210456.tif 000011
【図１０】
2004210456.tif 000012
【図１１】
2004210456.tif 000013
【図１２】
2004210456.tif 000014
【図１３】
2004210456.tif 000015
【図１４】
2004210456.tif 000016
【図１５】
2004210456.tif 000017
【図１６】
2004210456.tif 000018
【図１７】
2004210456.tif 000019
【図１８】
2004210456.tif 000020
【図１９】
2004210456.tif 000021
【図２０】
2004210456.tif 000022
【図２１】
2004210456.tif 000023